(57)【要約】【課題】スクリーンの大きさやスクリーンの設置位置に左右されずに描画することが可能なプロジェクターシステムを提供する。【解決手段】プロジェクターシステム１００の第１のプロジェクター１０１は、第１の画像データＧ１にユーザーＨ１により入力される電子ペン４０のペン操作情報Ｄ１に基づく描画データＢ１を重畳してスクリーンＳＣ１に投写するとともに、ペン操作情報Ｄ１を第２のプロジェクター１０２に送信し、第２のプロジェクター１０２は、第２の画像データＧ２に第１のプロジェクター１０１から受信したペン操作情報Ｄ１に基づく描画データＢ２を重畳してスクリーンＳＣ２に投写する。【選択図】図１
2015060087.tif 000002
【特許請求の範囲】
【請求項１】
第１の画像データが入力される第１の画像入力手段を有する第１のプロジェクターと、第２の画像データが入力される第２の画像入力手段を有する第２のプロジェクターとを備え、
前記第１のプロジェクターは、前記第１の画像入力手段から入力された前記第１の画像データ、および電子ペンにより入力される描画データを重畳して変調して投写し、前記描画データを前記第２のプロジェクターに送信し、
前記第２のプロジェクターは、前記第２の画像入力手段から入力された前記第２の画像データ、および前記第１のプロジェクターから受信した前記描画データを重畳して変調して投写することを特徴とするプロジェクターシステム。
【請求項２】
請求項１に記載のプロジェクターシステムであって、
前記第２のプロジェクターは、前記第１のプロジェクターから受信した前記描画データに対して所定の変更を行い、前記第２の画像データに重畳して投写することを特徴とするプロジェクターシステム。
【請求項３】
画像入力手段に入力される画像データを変調して投写する複数のプロジェクターを有するプロジェクターシステムであって、
前記複数のプロジェクターのそれぞれは、電子ペンにより入力される描画データを他のプロジェクターに送信する第１モードと、前記描画データを他のプロジェクターより受信する第２モードとのいずれかを設定するモード設定手段を備え、
当該プロジェクターが前記第１モードに設定されているときは前記描画データを前記画像データに重畳して投写し、
当該プロジェクターが前記第２モードに設定されているときは、他のプロジェクターから受信した前記描画データを前記画像データに重畳して投写することを特徴とするプロジェクターシステム。
【請求項４】
第１の画像データが入力される第１の画像入力手段を有する第１のプロジェクターと、第２の画像データが入力される第２の画像入力手段を有する第２のプロジェクターとを備えたプロジェクターシステムの制御方法であって、
前記第１のプロジェクターにおいて、
前記第１の画像入力手段から入力された前記第１の画像データ、および電子ペンにより入力される描画データを重畳して変調して投写する第１の投写ステップと、
前記描画データを前記第２のプロジェクターに送信する送信ステップと、を有し、
前記第２のプロジェクターにおいて、
前記第１のプロジェクターから前記描画データを受信する受信ステップと、
前記第２の画像入力手段から入力された前記第２の画像データ、および前記第１のプロジェクターから受信した前記描画データを重畳して変調して投写する第２の投写ステップと、
を有することを特徴とするプロジェクターシステムの制御方法。
【発明の詳細な説明】
【技術分野】
【０００１】
本発明は、複数のプロジェクターから構成されるプロジェクターシステム、およびプロジェクターシステムの制御方法に関する。
【背景技術】
【０００２】
学校の授業やプレゼンテーションなどで、プロジェクターにより投写した画像に文字や図形を書きこんで説明したいことがある。この場合、プロジェクターに接続されて画像データを入力するパーソナルコンピューター（パソコン）の画面上でマウスなどのポインディングデバイスを操作し、文字や図形を入力する方法がある。
【０００３】
特許文献１では、スクリーン上に投写した画像上で電子ペン（ペン型の入力装置）を操作し、文字や図形を書きこむ電子黒板システムが開示されている。
特許文献２では、複数のプロジェクターと発光ペンを備え、いずれかのプロジェクターが検出したペン位置にオブジェクトを描画するインタラクティブシステムが開示されている。
【先行技術文献】
【特許文献】
【０００４】
【特許文献１】特開２０１１−１４０１５４号公報
【特許文献２】特開２０１２−２２１４４５号公報
【発明の概要】
【発明が解決しようとする課題】
【０００５】
しかしながら、特許文献１の電子黒板システムや、特許文献２のインタラクティブシステムでは、ユーザーはスクリーン上の手が届く範囲にしか電子ペンで描画することはできない。そのため、大勢の観衆が視聴するような大きなスクリーンに画像を投写する場合には、スクリーンの全ての領域に描画することはできないという課題があった。また、手が届かない位置にスクリーンが設置される場合には描画することができないという課題があった。
従って、スクリーンの大きさやスクリーンの設置位置に左右されずに描画することが可能なプロジェクターシステムおよびプロジェクターシステムの制御方法が要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係るプロジェクターシステムは、第１の画像データが入力される第１の画像入力手段を有する第１のプロジェクターと、第２の画像データが入力される第２の画像入力手段を有する第２のプロジェクターとを備え、前記第１のプロジェクターは、前記第１の画像入力手段から入力された前記第１の画像データ、および電子ペンにより入力される描画データを重畳して変調して投写し、前記描画データを前記第２のプロジェクターに送信し、前記第２のプロジェクターは、前記第２の画像入力手段から入力された前記第２の画像データ、および前記第１のプロジェクターから受信した前記描画データを重畳して変調して投写することを特徴とする。
【０００８】
本適用例によれば、第１のプロジェクターの投写画面上に電子ペンで描画した画像を、第２のプロジェクターの投写画像に重畳させて投写することができる。従って、１つのプロジェクター（第１のプロジェクター）の投写画像に電子ペンにより描画を行ったとき、他のプロジェクター（第２のプロジェクター）の投写画像にこの描画を反映させることができる。従って、スクリーンの大きさやスクリーンの設置位置に左右されずに描画することが可能となる。
例えば、電子ペンによる描画は、第１のプロジェクターの投写面となるスクリーン全体に手が届く小さなスクリーン上で行い、この描画データが重畳された画像を、第２のプロジェクターの投写面となるスクリーン全体には手が届かない大きなスクリーン（または、手が届かない位置に設置されるスクリーン）に投写することができる。
【０００９】
［適用例２］上記適用例に記載のプロジェクターシステムにおいて、前記第２のプロジェクターは、前記第１のプロジェクターから受信した前記描画データに対して所定の変更を行い、前記第２の画像データに重畳して投写することが好ましい。
【００１０】
本適用例によれば、第１のプロジェクターの投写画面上に電子ペンで描画した画像を、第２のプロジェクターの投写画像に重畳させる際に、描画データに予め設定された変更を加えることができるので、描画線の太さ、色などをスクリーンの大きさや設置場所などに合わせて変更することができる。
【００１１】
［適用例３］本適用例に係るプロジェクターシステムは、画像入力手段に入力される画像データを変調して投写する複数のプロジェクターを有するプロジェクターシステムであって、前記複数のプロジェクターのそれぞれは、電子ペンにより入力される描画データを他のプロジェクターに送信する第１モードと、前記描画データを他のプロジェクターより受信する第２モードとのいずれかを設定するモード設定手段を備え、当該プロジェクターが前記第１モードに設定されているときは前記描画データを前記画像データに重畳して投写し、当該プロジェクターが前記第２モードに設定されているときは、他のプロジェクターから受信した前記描画データを前記画像データに重畳して投写することを特徴とする。
【００１２】
本適用例によれば、それぞれのプロジェクターが、第１モードと第２モードとを備え、モード設定手段により、第１モードと第２モードとのいずれかに設定できる。これにより、プロジェクターを第１モードで使用するか第２モードで使用するかの設定の自由度が向上し、プロジェクターシステムの利便性が向上する。
また、第１モードに設定されたプロジェクターの投写画面上に電子ペンで描画した画像を、第２モードに設定された別のプロジェクターの投写画像に重畳させることができるため、スクリーンの大きさやスクリーンの設置位置に左右されずに描画することが可能となる。
例えば、スクリーン全体に手が届く小さなスクリーンに投写するプロジェクターを第１モードで使用し、スクリーン全体には手が届かない大きなスクリーン（または、手が届かない位置に設置されるスクリーン）に投写するプロジェクターを第２モードで使用する。これにより、スクリーン全体には手が届かない大きなスクリーン（または、手が届かない位置に設置されるスクリーン）に描画することができる。
【００１３】
［適用例４］本適用例に係るプロジェクターシステムの制御方法は、第１の画像データが入力される第１の画像入力手段を有する第１のプロジェクターと、第２の画像データが入力される第２の画像入力手段を有する第２のプロジェクターとを備えたプロジェクターシステムの制御方法であって、前記第１のプロジェクターにおいて、前記第１の画像入力手段から入力された前記第１の画像データ、および電子ペンにより入力される描画データを重畳して変調して投写する第１の投写ステップと、前記描画データを前記第２のプロジェクターに送信する送信ステップと、を有し、前記第２のプロジェクターにおいて、前記第１のプロジェクターから前記描画データを受信する受信ステップと、前記第２の画像入力手段から入力された前記第２の画像データ、および前記第１のプロジェクターから受信した前記描画データを重畳して変調して投写する第２の投写ステップと、を有することを特徴とする。
【００１４】
本適用例によれば、第１のプロジェクターの投写画面上に電子ペンで描画した画像を、第２のプロジェクターの投写画像に重畳させて投写することができる。従って、スクリーンの大きさやスクリーンの設置位置に左右されずに描画することが可能となる。
例えば、電子ペンによる描画は、第１のプロジェクターの投写面となるスクリーン全体に手が届く小さなスクリーン上で行い、この描画データが重畳された画像を、第２のプロジェクターの投写面となるスクリーン全体には手が届かない大きなスクリーン（または、手が届かない位置に設置されるスクリーン）に投写することができる。
【図面の簡単な説明】
【００１５】
【図１】実施形態に係るプロジェクターシステムの使用状態を示す図。
【図２】プロジェクターシステムの回路構成を示すブロック図。
【図３】プロジェクターシステムの動作を示すフローチャート。
【発明を実施するための形態】
【００１６】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１７】
（実施形態）
図１は、本実施形態のプロジェクターシステム１００の使用状態を示す図である。
図１に示すように、本実施形態のプロジェクターシステム１００は、２つのプロジェクター１０１，１０２と、電子ペン４０とを有して構成される。一方のプロジェクター１０１は、投写面（スクリーンＳＣ１）上でのユーザーＨ１による電子ペン４０のペン操作情報Ｄ１を検出して描画データＢ１を生成し、映像機器Ｖ１より入力される画像データＧ１に描画データＢ１を重畳してスクリーンＳＣ１に投写する。併せて、プロジェクター１０１は、ケーブルＣＡ１を介してペン操作情報Ｄ１をプロジェクター１０２に送信する。他方のプロジェクター１０２は、受信したペン操作情報Ｄ１に基づく描画データＢ２を生成し、映像機器Ｖ２より入力される画像データＧ２に描画データＢ２を重畳して投写面（スクリーンＳＣ２）に投写する。
【００１８】
なお、本実施形態では、スクリーンＳＣ１は、例えば、スクリーン全体に手が届く小さなスクリーンであり、スクリーンＳＣ２は、スクリーン全体には手が届かない大きなスクリーン、または手が届かない位置に設置されるスクリーンとしている。
【００１９】
図１において、ペン操作情報Ｄ１は、電子ペン４０が移動した座標情報、線の太さ、色などの情報であり、これらに基づいて描画データＢ１，Ｂ２が生成される。
なお、図１において、一方のプロジェクター１０１が第１のプロジェクター、他方のプロジェクター１０２が第２のプロジェクターに相当する。
また、プロジェクター１０１，１０２には、同じ映像機器の画像データが入力されるようにしてもよい。
【００２０】
図２は、本実施形態のプロジェクターシステム１００の一方のプロジェクター１０１の回路構成を示すブロック図である。なお、本実施形態では、他方のプロジェクター１０２もプロジェクター１０１の回路構成と同様に構成されている。
【００２１】
図２に示すように、プロジェクター１０１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、ペン操作検出手段２５、通信手段２６、電源端子３０、電源部３１等で構成されており、これらはプロジェクター１０１の筐体の内部または外面に配置されている。
【００２２】
画像投写手段１０は、光源１１、３つの液晶ライトバルブ１２Ｒ，１２Ｇ，１２Ｂ、投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ対応する液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
【００２５】
液晶駆動手段１４が、入力される画像データに応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写され投写画像となる。
【００２６】
本実施形態では、光源として光源ランプ１１ａを用いて投写するプロジェクター１０１を例示したが、本発明は、光源としてＬＥＤ（Light emitting diode）光源やレーザー光源などを用いて投写するプロジェクターにも適用することができる。
【００２７】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２８】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１０１の動作を統括制御する。つまり、制御手段２０は、記憶手段２１とともにコンピューターとして機能する。
【００２９】
制御手段２０は、電子ペン４０によるペン操作情報Ｄ１を他方のプロジェクター１０２に送信する第１モード、または他方のプロジェクター１０２からペン操作情報を受信する第２モード、のいずれかを設定するモード設定手段２０１を含んで構成される。プロジェクター１０１が第１モードに設定されているときは、第１のプロジェクターとして、第２モードに設定されているときは第２のプロジェクターとして動作する。
【００３０】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１０１の動作を制御するための制御プログラムや、プロジェクター１０１の動作条件等を規定する各種設定データ等が記憶されている。本実施形態では、受信した電子ペン４０のペン操作情報に対する変更内容を定義する描画変更情報２１１が記憶される。変更内容としては描画する線の太さ、色などがある。
【００３１】
入力操作手段２３は、ユーザーがプロジェクター１０１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。入力操作手段２３は、ユーザーが電子ペン４０で描画した画像の変更操作も行う。
【００３２】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３３】
光源制御手段２２は、制御手段２０の指示に基づいて、光源１１に対する電力の供給と停止とを制御し、光源１１の点灯、および消灯を切り替える。
【００３４】
通信手段２６は、制御手段２０の指示に基づき、他方のプロジェクター１０２と通信し、電子ペン４０のペン操作情報を送信または受信する。
【００３５】
画像信号入力手段１８は、第１の画像入力手段、および第２の画像入力手段に相当するものであり、複数の画像入力端子６より、ビデオ再生装置やパーソナルコンピューター等、外部の画像出力装置から、図示しないケーブル、又は通信機器などを介して画像情報（画像データともいう）が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。なお、画像信号入力手段１８から入力される画像データが第１の画像データ、および第２の画像データに相当する。
【００３６】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像データに変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３７】
ＯＳＤ処理手段１６は、制御手段２０の指示に基づいて、投写画像に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像データを記憶している。
【００３８】
制御手段２０が、ＯＳＤ画像の重畳表示を指示すると、ＯＳＤ処理手段１６は、必要なＯＳＤ画像データをＯＳＤメモリーから読み出し、投写画像上の所定の位置にＯＳＤ画像が重畳されるように、画像信号処理手段１７から入力される画像データにこのＯＳＤ画像データを合成する。ＯＳＤ画像情報が合成された画像データは、液晶駆動手段１４に出力される。
なお、制御手段２０からＯＳＤ画像を重畳する旨の指示がない場合には、ＯＳＤ処理手段１６は、画像信号処理手段１７から入力される画像データを、そのまま液晶駆動手段１４に出力する。
【００３９】
液晶駆動手段１４が、ＯＳＤ処理手段１６より入力される画像データに従って液晶ライトバルブ１２Ｒ，１２Ｇ，１２Ｂを駆動すると、画像データに応じた画像光が投写レンズ１３より投写され、スクリーンＳＣの投写面に投写画像が表示される。
【００４０】
電源部３１には、電源端子３０を介してＡＣ１００Ｖ等の電力が外部から供給される。電源部３１は、入力した電力（交流電力）を所定の直流電力に変換して、プロジェクター１０１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４１】
ペン操作検出手段２５は、撮像素子（図示省略）などで構成され、制御手段２０の指示に基づいて、電子ペン４０の操作位置（座標）、および各スイッチの押下状態などのペン操作状態を検出し、検出したペン操作情報Ｄ１を制御手段２０に通知する。
なお、第２のプロジェクター、または第２モード専用で動作するプロジェクターの場合は、ペン操作検出手段２５は搭載しなくても良い。
【００４２】
次に、本実施形態のプロジェクターシステム１００の動作を、図３のフローチャートを用いて説明する。図３は、プロジェクターシステム１００を構成するプロジェクター１０１，１０２の動作を示すフローチャートであり、同図（ａ）は第１モードでの動作、同図（ｂ）は第２モードでの動作を示す。なお、第１モードでの動作は、第１のプロジェクターの動作、第２モードでの動作は第２のプロジェクターの動作に相当する。
【００４３】
なお、それぞれのプロジェクター１０１，１０２は、第１モードと第２モードとを備え、モード設定手段２０１により、いずれかのモードに設定できる。本実施形態では、プロジェクター１０１は第１モードに設定され、プロジェクター１０２は第２モードに設定されているとして説明する。なお、プロジェクター１０２の回路構成は、プロジェクター１０１の回路構成と同様に構成されている。そのため、構成部の符号も同様として以降説明する。
【００４４】
［第１モードの動作］
図３（ａ）に示すように、第１モードに設定されたプロジェクター１０１は、ペン操作検出手段２５により電子ペン４０によるペン操作を検出すると（ステップＳ１０１）、制御手段２０は、検出したペン操作情報Ｄ１に基づく描画データＢ１を生成し（ステップＳ１０２）、ステップＳ１０３に遷移する。
【００４５】
ステップＳ１０３において制御手段２０は、ステップＳ１０２において生成した描画データＢ１を、画像信号入力手段１８から入力される画像データＧ１に重畳し、画像投写手段１０により投写し、ステップＳ１０４に遷移する。ステップＳ１０３が第１の投写ステップに相当する。
【００４６】
ステップＳ１０４において制御手段２０は、ステップＳ１０１において検出したペン操作情報Ｄ１を、通信手段２６を介して他方のプロジェクター１０２に送信し、ステップＳ１０５に遷移する。ステップＳ１０４が送信ステップに相当する。
【００４７】
ステップＳ１０５において本動作フローを終了する。
【００４８】
［第２モードの動作］
図３（ｂ）に示すように、第２モードに設定されたプロジェクター１０２は、通信手段２６によりペン操作情報Ｄ１を受信すると（ステップＳ２０１）、制御手段２０は、受信したペン操作情報Ｄ１に対し、描画変更情報２１１で定義される変更を加えて描画データＢ２を生成し（ステップＳ２０２）、ステップＳ２０３に遷移する。ステップＳ２０１が受信ステップに相当する。
【００４９】
ステップＳ２０３において制御手段２０は、ステップＳ２０２において生成した描画データＢ２を、画像信号入力手段１８から入力される画像データＧ２に重畳し、画像投写手段１０により投写し、ステップＳ２０４に遷移する。ステップＳ２０３が第２の投写ステップに相当する。
【００５０】
ステップＳ２０４において本動作フローを終了する。
【００５１】
上述した実施形態によれば、以下の効果が得られる。
本実施形態のプロジェクターシステム１００によれば、一方のプロジェクター１０１（第１のプロジェクター）の投写画面上に電子ペン４０で描画した画像を、他方のプロジェクター１０２（第２のプロジェクター）の投写画像に重畳させて投写することができる。言い換えると、第１のプロジェクターの投写画面に電子ペン４０により描画を行ったとき、第２のプロジェクターの投写画像にこの描画を反映させることができる。
【００５２】
本実施形態のプロジェクターシステム１００によれば、電子ペン４０による描画は、プロジェクター１０１（第１のプロジェクター）の投写面として設定されるスクリーン全体に手が届く小さなスクリーンＳＣ１上で行う。そして、この電子ペン４０による描画データが重畳された画像を、プロジェクター１０２（第２のプロジェクター）の投写面として設定されるスクリーン全体には手が届かない大きなスクリーンＳＣ２（または、手が届かない位置に設置されるスクリーンＳＣ２）に投写する。これにより、スクリーン全体には手が届かない大きなスクリーンＳＣ２（または、手が届かない位置に設置されるスクリーンＳＣ２）に描画することができる。従って、スクリーンの大きさやスクリーンの設置位置に左右されずに描画することが可能となる。
【００５３】
本実施形態のプロジェクターシステム１００によれば、プロジェクター１０１の投写画面上に電子ペン４０で描画した画像を、プロジェクター１０２の投写画像に重畳させる際に、描画変更情報２１１で定義される変更を加えて描画データを生成することができるので、描画線の太さ、色などをスクリーンの大きさや設置場所などに合わせて変更することができる。
【００５４】
本実施形態のプロジェクターシステム１００によれば、２つのプロジェクター１０１，１０２が、第１モードと第２モードとを備え、モード設定手段２０１により、第１モードと第２モードとのいずれかに設定できる。これにより、プロジェクター１０１，１０２を第１モードで使用するか第２モードで使用するかの設定の自由度が向上し、プロジェクターシステム１００の利便性が向上する。
【００５５】
本実施形態のプロジェクターシステム１００によれば、第１モードに設定されたプロジェクター１０１の投写画面上に電子ペン４０で描画した画像を、第２モードに設定された別のプロジェクター１０２の投写画像に重畳させることができる。言い換えると、第１モードに設定されたプロジェクターの投写画面に電子ペン４０により描画を行ったとき、第２モードに設定されたプロジェクターの投写画像にこの描画を反映させることができる。
【００５６】
本実施形態のプロジェクターシステム１００によれば、スクリーン全体に手が届く小さなスクリーンＳＣ１に投写するプロジェクター１０１を第１モードで使用し、スクリーン全体には手が届かない大きなスクリーンＳＣ２（または、手が届かない位置に設置されるスクリーンＳＣ２）に投写するプロジェクター１０２を第２モードで使用する。これにより、スクリーン全体には手が届かない大きなスクリーンＳＣ２（または、手が届かない位置に設置されるスクリーンＳＣ２）に描画することができる。従って、スクリーンの大きさやスクリーンの設置位置に左右されずに描画することが可能となる。
【００５７】
また、上記実施形態は、以下のように変更してもよい。
（変形例１）
上述した実施形態において、プロジェクターシステム１００を３つ以上のプロジェクターから構成されるプロジェクターシステムに適用することができる。この場合、１つのプロジェクターを第１のプロジェクターとし、他のプロジェクターを第２のプロジェクターとして動作させることでよい、また、それぞれのプロジェクターを第１モードと第２モードとのいずれかに設定して使用することでよい。これにより、上記と同様の効果を奏することができる。
【００５８】
（変形例２）
上述した実施形態において、第２モードに設定されたプロジェクターが受信したペン操作情報を、通信手段２６を介し、第２モードに設定された他のプロジェクターに送信するようにしてもよい。つまり、複数のプロジェクターをカスケード接続し、先頭のプロジェクターが第１モード、２番目以降のプロジェクターが第２モードに設定され、先頭のプロジェクターが検出したペン操作が２番目以降のプロジェクターに送信され、同じように描画データを投写させることができる。
【符号の説明】
【００５９】
１００…プロジェクターシステム、１０１，１０２…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…モード設定手段、２１…記憶手段、２１１…描画変更情報、２２…光源制御手段、２３…入力操作手段、２５…ペン操作検出手段、２６…通信手段、３０…電源端子、３１…電源部、４０…電子ペン、ＳＣ１，ＳＣ２…スクリーン。
【図１】
2015060087.tif 000003
【図２】
2015060087.tif 000004
【図３】
2015060087.tif 000005